(57)【要約】【課題】振動・静電気・ＥＭＩに強く、作業性の良い取付アダプタを提供する。【解決手段】  ＨＤＤモジュール３００は、−Ｙ側から収納シャーシ２００に挿入される。収納シャーシ２００の仕切り部材２４０には、ＨＤＤモジュール３００に対向する面に導電性弾性部材５０が接着されている。導電性弾性部材５０は、仕切り部材２４０のＹ軸方向先端部及び後端部を除く領域に配置されている。また、ＨＤＤモジュール３００は、導電性弾性体５０により収納シャーシ２００の側板部２３０に押圧される。そのため、ＨＤＤモジュール３００は、収納シャーシ２００に挿入しやすく、また、振動・静電気・ＥＭＩに強い。【選択図】図８
2013168207.tif 000002
【特許請求の範囲】
【請求項１】
コネクタを有する装置を筐体に取り付けるための取付アダプタであって、
前記装置が固定されるトレイと、
前記筐体に固定され、前記トレイが一の方向から挿入されるシャーシと、
前記シャーシへの挿入方向の奥部に取り付けられ、かつ前記一の方向に直交する面内で動くことが可能な状態で前記装置のコネクタと接続されるコネクタが実装されているコネクタ基板と、
前記一の方向に沿って前記シャーシの一壁部の一面側に取り付けられた導電性弾性部材とを備え、
前記トレイが前記シャーシに挿入されて、前記装置のコネクタが前記コネクタ基板のコネクタと接続された状態において、前記トレイは前記導電性弾性部材が取り付けられた前記一壁部に対向する他の壁部に圧接されることを特徴とする取付アダプタ。
【請求項２】
前記シャーシの前記一壁部には切り欠き部又は開口部が設けられ、前記導電性弾性部材の一端は前記切り欠き部又は開口部を通って前記一壁部の前記一面とは反対面側に配置されることを特徴とする請求項１に記載の取付アダプタ。
【請求項３】
前記切り欠き部又は開口部は、前記シャーシの前記一壁部の挿入方向の中間点よりも手前側に形成されていることを特徴とする請求項２に記載の取付アダプタ。
【請求項４】
前記シャーシには、前記一壁部に前記切り欠き部又は開口部の挿入方向の奥側に更に他の切り欠き部又は他の開口部が形成され、
前記導電性弾性部材は、前記シャーシの前記一壁部の一面に取り付けられるとともに、両端部が前記切り欠き部又は開口部及び前記他の切り欠き部又は開口部を通って前記一壁部の前記一面とは反対面側に配置されていることを特徴とする請求項２又は３に記載の取付アダプタ。
【請求項５】
前記シャーシには、前記一壁部の挿入方向の手前側と奥側の所定領域を除く領域に前記導電性弾性部材が配置され、前記一壁部に対向する他の壁部には導電性部材が取り付けられていることを特徴とする請求項１〜４のいずれか一項に記載の取付アダプタ。
【請求項６】
前記シャーシには、前記一壁部の挿入方向の手前側と奥側の所定領域を除く領域に前記導電性弾性部材が配置され、前記一壁部と対向する他の壁部に他の導電性弾性部材が前記導電性弾性部材と対称に取り付けられていることを特徴とする請求項１〜４のいずれか一項に記載の取付アダプタ。
【請求項７】
前記コネクタ基板は２つの挿入ガイドピンを有し、前記トレイには前記挿入ガイドピンが挿入されるガイド穴が形成され、
前記ガイド穴の一方は丸穴であり、他方は長穴であることを特徴とする請求項１〜６のいずれか一項に記載の取付アダプタ。
【請求項８】
ハードディスク装置及び光ディスク装置の少なくとも一方が筐体内に収容されている情報処理装置において、
前記ハードディスク装置及び光ディスク装置の少なくとも一方は、請求項１〜７のいずれか一項に記載の取付アダプタを用いて前記筐体に取り付けられていることを特徴とする情報処理装置。
【発明の詳細な説明】
【技術分野】
【０００１】
本発明は、取付アダプタ及び情報処理装置に係り、更に詳しくは、コネクタを有する装置を筐体に取り付けるための取付アダプタ及び該取付アダプタが用いられている情報処理装置に関する。
【背景技術】
【０００２】
ハードディスクや光ディスクは、大容量の情報記録媒体として、情報機器や制御機器などの情報処理装置になくてはならないものとなっている。そこで、情報処理装置には、一般的に、ハードディスクと該ハードディスクに対する書き込み及び読み出しを行う駆動装置とを含むハードディスクドライブ（以下では、便宜上、「ＨＤＤ」という）や、ＣＤ（ｃｏｍｐａｃｔ  ｄｉｓｃ）及びＤＶＤ（ｄｉｇｉｔａｌ  ｖｅｒｓａｔｉｌｅ  ｄｉｓｃ）などの光ディスクに対する書き込み及び読み出しを行う光ディスクドライブが搭載されている。
【０００３】
例えば、情報処理装置の筐体にＨＤＤモジュールを取り付ける方法として情報処理装置等を稼働させたまま取り付ける活線挿抜が知られている。
【０００４】
活線挿抜の方法の１つとして、例えば、ＨＤＤが収納されたＨＤＤモジュールを情報処理装置の本体部に接続され開口部が設けられた収納シャーシに、該開口部から挿入することで、収納シャーシのコネクタとＨＤＤのコネクタとを接続する方法が知られている。上述した活線挿抜では、コネクタ及びケーブル等の構成物品を減らしコストを削減すると共に、ＨＤＤモジュールと情報処理装置とを簡単に接続することができる。
【０００５】
ところで、特許文献１には、ＨＤＤモジュールのコネクタを装置側のコネクタに着脱する低コストな取付アダプタが開示されている。この取付アダプタは、コネクタを有する装置を筐体に取り付けるための取付アダプタであって、装置が固定されるトレイと、トレイが一の方向から挿入され、筐体に固定されるホルダと、ホルダに設けられ、装置のコネクタと接続されるコネクタが実装されているコネクタ基板とを有している。
【０００６】
また、特許文献２には、収納部内壁に設けられた突起とプラグインユニットとが点接触することで、ハードディスクの振動が抑制される挿抜装置が開示されている。この挿抜装置は、電子機器の一部をなすプラグインユニットを含み電子機器の本体の収納部に挿抜される挿抜装置であって、本体への挿入状態にて収納部内壁に圧接され、プラグインユニットの振動を抑制する突起を有している。
【発明の概要】
【発明が解決しようとする課題】
【０００７】
上述した活線挿抜による接続方法では、ＨＤＤモジュールを収納シャーシの開口部内に容易に挿入するため、作業性の点からＨＤＤモジュールの外形と比べて収納シャーシの開口部を大きくし、またＨＤＤモジュールを開口部近傍に配置する必要がある。しかしながら、収納シャーシとＨＤＤモジュールとの隙間（クリアランス）を大きくすると、振動によりＨＤＤの通信が不安定となり、通信エラーが発生するおそれがあった。また、活線挿抜による接続方法では、ＨＤＤモジュールと収納シャーシとの間で十分な沿面距離が確保できない場合、外部から静電気が侵入しやすくなる。また、ＨＤＤモジュールが安定してＧＮＤ（グランド）に接触されない場合、ＨＤＤは、静電気に加えＥＭＩ（Ｅｌｅｃｔｒｏ  Ｍａｇｎｅｔ  Ｉｎｔｅｒｆｅｒｅｎｃｅ）等により損傷するおそれがあった。
【課題を解決するための手段】
【０００８】
本発明は、コネクタを有する装置を筐体に取り付けるための取付アダプタであって、前記装置が固定されるトレイと、前記筐体に固定され、前記トレイが一の方向から挿入されるシャーシと、前記シャーシへの挿入方向の奥部に取り付けられ、かつ前記一の方向に直交する面内で動くことが可能な状態で前記装置のコネクタと接続されるコネクタが実装されているコネクタ基板と、前記一の方向に沿って前記シャーシの一壁部の一面側に取り付けられた導電性弾性部材とを備え、前記トレイが前記シャーシに挿入されて、前記装置のコネクタが前記コネクタ基板のコネクタと接続された状態において、前記トレイは前記導電性弾性部材が取り付けられた前記一壁部に対向する他の壁部に圧接されることを特徴とする取付アダプタである。
【発明の効果】
【０００９】
本発明に係る取付アダプタによれば、コネクタを有する装置の筐体に挿抜する際の良好な作業性（挿抜のしやすさ）を維持しつつ、静電気及びＥＭＩ、並びに振動に対する耐性を向上させることができる。
【図面の簡単な説明】
【００１０】
【図１】一実施形態に係る情報処理装置の構成を概略的に示す図である。
【図２】図１の情報処理装置から筐体の一部を除いた斜視図である。
【図３】図２の情報処理装置からＨＤＤモジュールを除いた斜視図である。
【図４】図１の情報処理装置の有する収納シャーシの斜視図である。
【図５】図４の収納シャーシの一部を拡大した平面図である。
【図６】図１の情報処理装置の有するＨＤＤモジュールの斜視図である。
【図７】図６のＨＤＤモジュールの有する収納トレイの斜視図である。
【図８】ＨＤＤモジュールが収納トレイに挿入される動作を説明するための図（その１）である。
【図９】ＨＤＤモジュールが収納トレイに挿入される動作を説明するための図（その２）である。
【図１０】ＨＤＤモジュールが収納トレイに挿入される動作を説明するための図（その３）である。
【図１１】導電性弾性体の取り付け方法の変形例を示す図（その１）である。
【図１２】導電性弾性体の取り付け方法の変形例を示す図（その２）である。
【発明を実施するための形態】
【００１１】
以下、本発明の一実施形態を図１〜図１２に基づいて説明する。図１には、一実施形態に係る情報処理装置１０の外観が示されている。以下においては、後述するＨＤＤモジュール３００（図６参照）が挿入される方向をＹ軸方向とし、水平面内においてＹ軸に直交する方向をＸ軸方向とし、Ｘ軸及びＹ軸に直交する方向をＺ軸として説明を行う。
【００１２】
情報処理装置１０は、図１及び図２に示されるように、筐体２０、筐体２０内部に収容されている本体３０、本体３０に取付アダプタ１００を介して取り付けられたＨＤＤ６０などを有している。
【００１３】
筐体２０は、図１及び図２に示されるように、不図示の底板と、一対の側板２２（−Ｘ側の側板２２は不図示）と、天板２４と、これら底板、一対の側板２２及び天板２４が取り付けられる本体フレーム２６と、を有している。底板、一対の側板２２及び天板２４は、それぞれが薄板部材から構成され、複数の貫通孔が形成されている。該貫通孔を介して、底板、一対の側板２２及び天板２４のそれぞれは、本体フレーム２６の下端面（−Ｚ側面）、Ｘ軸方向両側面及び上端面（＋Ｚ側面）にねじ止めされている。
【００１４】
本体３０は、図２に示されるように、筐体２０を構成する本体フレーム２６の内部空間に配置されている。本体３０は、マザーボード、電源ユニット、及び冷却用ファンなど（いずれも不図示）を有している。本体３０は、全体としてＹ軸方向を長手方向とする略直方体形状を有している。本体３０は、例えば前面（−Ｙ側面）及び背面（＋Ｙ側面）に配置されたフロントパネル及び背面パネルに、モニタが接続されるグラフィックポート、キーボード等の入力装置が接続されるコネクタ、複数のＵＳＢコネクタ、マイク端子、ヘッドホン端子、シリアルポート、パラレルポート、及びＬＡＮコネクタなどが取り付けられている。
【００１５】
取付アダプタ１００は、本体フレーム２６の本体３０の前側（−Ｙ側）半部の上の位置に搭載されている。取付アダプタ１００は、収納シャーシ２００、ＨＤＤモジュール３００の一部を構成する収納トレイ７０等を有している。
【００１６】
収納シャーシ２００は、図３に示されるように、本体フレーム２６の本体３０の前側（−Ｙ側）半部の上の位置に一体的に取り付けられている。収納シャーシ２００の前端（−Ｙ側端）とフロントパネルの前端面のＹ位置とは、ほぼ同一となるように設定されている。
【００１７】
収納シャーシ２００は、導電性を有する薄板部材（金属板）から成り、例えば板金加工等により折り曲げて製造されている。収納シャーシ２００は、図４に取り出して示されるように、水平面に平行な底板部２２０、底板部２２０の両端（Ｘ軸方向両端）の前端（−Ｙ側端）から後端部近傍（＋Ｙ側端部近傍）にかけて上方（＋Ｚ方向）に立ち上がった一対の側板部２３０、底板部２２０の後端全域から上方に立ち上がった背板部２５０、及び底板部２２０のＸ軸方向中央部に固定され、Ｙ軸方向に延設された仕切り部材２４０等を有している。なお、収納シャーシ２００の製造方法は、板金加工に限られず、例えば上記の構成各部を別部材とし、それらを溶接して製造しても良い。
【００１８】
底板部２２０は、平面視矩形の形状を有し、Ｘ軸方向中央部に不図示の貫通孔がＹ軸方向に複数離間して形成されている。底板部２２０には、該貫通孔を介して、仕切り部材２４０がねじ止めされている。
【００１９】
一対の側板部２３０のうち、＋Ｘ側に配置された側板部２３０は、後端から前端部（前端から幾分＋Ｙ側部分を除く範囲）にかけて高さ方向の中央より幾分上方の部分が＋Ｘ方向に向かって折り曲げられた水平面に平行な折り曲げ部（以下、架設部２３２と称する）を有している。架設部２３２には、貫通孔２３３がＹ軸方向に所定間隔で複数（例えば３つ）形成されている。架設部２３２（側板部２３０）は、本体フレーム２６に架設部２３２が架設された状態で、貫通孔２３３を介して本体フレーム２６の一部にねじ止めされる。なお、−Ｘ側に配置されている側板部２３０は、ＹＺ平面（収納シャーシ２００のＸ軸方向中央を通るＹＺ平面）に関して対称である点を除き、＋Ｘ側に配置されている側板部２３０と同じ形状を有している。
【００２０】
背板部２５０は、高さ方向の中央より幾分上方の部分が前方に折り曲げられている。背板部２５０は、前方に折り曲げられた部分よりも幾分下方に、Ｘ軸方向を長手方向とする矩形の２つの開口２５２がＸ軸方向に所定距離離間して形成されている。−Ｘ側の開口２５２は、仕切り部材２４０よりも幾分−Ｘ側に形成され、＋Ｘ側の開口２５２は、仕切り部材２４０よりも幾分＋Ｘ側に形成されている。また、背板部２５０は、２つの開口２５２それぞれの＋Ｘ側及び−Ｘ側位置に貫通孔２５４がそれぞれ１つ（すなわち計４つ）形成されている。また、背板部２５０には、２つの開口２５２それぞれの＋Ｘ側及び−Ｘ側の上端部に、先端がテーパ形状を有するガイドピン２８０が前方に突出した状態でそれぞれ１つ（すなわち計４本）設けられている。
【００２１】
ここで、背板部２５０の後方には、２つの開口２５２それぞれに対応する位置にコネクタ基板２６０が配置されている。コネクタ基板２６０は、Ｘ軸方向を長手方向とするＸＺ平面矩形の薄板部材から成る回路基板２６２、回路基板２６２の前端面に固定され、開口２５２に挿入され、後述するＨＤＤモジュール３００のＨＤＤコネクタ６４（図６参照）に接続されるコネクタ２６４、回路基板２６２の後端面に固定されマザーボードからの信号ケーブルが接続されるコネクタ２６６及び電源ユニットからの電源ケーブルに接続されるコネクタ２６８等を有している。コネクタ基板２６０は、背板部２５０に形成された貫通孔２５４に挿入される不図示のフローティングナットを介して、ＸＺ平面に可動な状態で収納シャーシ２００に接続されている（Ｙ軸方向が拘束されている）。なお、コネクタ基板２６０の構成及びフローティングナットの一例については、例えば特開２０１１−８６３４６号公報に詳細に開示されている。
【００２２】
仕切り部材２４０は、導電性を有する薄板部材（金属板）から成り、例えば板金加工等により折り曲げて製造されている。仕切り部材２４０は、底面部２４５（図４では不図示、図５参照）と、底面部２４５のＸ軸方向両端面から立ち上がった、互いに対向する一対の中板部２４２ａ，２４２ｂとから成る。すなわち、仕切り部材２４０は、ＸＺ断面においてＵ字形状を有している。なお、仕切り部材２４０は、例えば上記の構成各部を別部材とし、それらを溶接して製造しても良い。
【００２３】
底面部２４５は、収納シャーシ２００の底板部２２０の前端（−Ｙ側端）より幾分前方（−Ｙ側位置）から底板部２２０の後端部近傍にかけて延設された薄板部から成る。底面部２４５は、底板部２２０に形成された貫通孔に対応する位置に、Ｙ軸方向に離間した複数の貫通孔が形成され、該貫通孔を介して底板部２２０にねじ止めされている。
【００２４】
一方（−Ｘ側）の中板部２４２ａは、図４に示されるように、後端部近傍の上方の部分が−Ｘ方向に折り曲げられている。また、中板部２４２ａの高さは、後端部（−Ｘ方向に折り曲げられた部分）が他の部分に比べ高く設定されている。中板部２４２ａは、長手方向中央より幾分前方において、上端から高さ方向中央部近傍にかけて切り欠き２４４が形成されている（図５参照）。
【００２５】
上記一方の中板部２４２ａに対向する他方（＋Ｘ側）の中板部２４２ｂは、後端から前端部近傍にかけて、上端部が＋Ｘ方向に折り曲げられている。また、中板部２４２ｂの長手方向全域の高さは、中板部２４２ａの後端部近傍の高さとほぼ同一となっている。中板部２４２ｂの長手方向中央より幾分前方位置には、切り欠き２４４に対向する位置に開口２４６が形成されている。中板部２４２ｂは、前端部の一部が−Ｘ方向に折り曲げられ、折り曲げ後の状態でその前端面が中板部２４２ａとほぼ面一となっている。また、中板部２４２ｂの−Ｘ方向に折り曲げられた部分には、貫通孔２４８が高さ方向に離間して複数、例えば２つ形成されている。中板部２４２ａ（収納シャーシ２００）には、貫通孔２４８を介して、ＨＤＤモジュール３００の収納トレイ７０がねじ止めされる。
【００２６】
また、収納シャーシ２００には、図４に示されるように、導電性テープ４０と導電性弾性体５０とが接着されている。以下、この点について詳述する。
【００２７】
導電性テープ４０は、一対の側板部２３０のＸ軸方向内側面それぞれの前端（−Ｙ側端）からＹ軸方向中央よりも幾分後方（＋Ｙ側）にかけて配置されている（図４では、−Ｘ側に配置されている導電性テープ４０は、−Ｘ側の側板部２３０の裏面に隠れている）。導電性テープ４０の上端は側板部２３０の折り返し部分とほぼ同じ高さ（Ｚ位置）となるよう配置され、下端は底板部２２０よりも幾分上方になるよう配置されている。
【００２８】
導電性弾性体５０は、ＸＺ断面矩形のＹ軸方向に延設された弾性部材から成る。導電性弾性体５０は、一対の中板部２４２ａ，２４２ｂのＸ軸方向外側面それぞれのＹ軸方向中央より幾分後方からＹ軸方向中央より幾分前方にかけて配置されている（図４では、＋Ｘ側に配置されている導電性弾性体５０は中板部２４２ｂに隠れている）。また、それぞれの導電性弾性体５０は、上端が中板部２４２ａの後端部近傍を除く領域の上端とほぼ同一の高さに設定されている。それぞれの導電性弾性体５０は、長手方向の一端（−Ｙ側端）がＸ軸方向内側に折り曲げられ、一対の中板部２４２ａ，２４２ｂに形成された切り欠き２４４及び開口２４６内に挿入されている。切り欠き２４４及び開口２４６内に挿入されたそれぞれの導電性弾性体５０の一端は、図５に示されるように、中板部２４２ａ，２４２ｂのＸ軸方向内側面に沿って前方に幾分延設されて配置されている。
【００２９】
ＨＤＤモジュール３００は、図２に示されるように、１つの収納シャーシ２００に対して仕切り部材２４０を隔ててＸ軸方向に離間して２つ搭載されている。２つのＨＤＤモジュール３００は、配置が異なる点を除き同じ形状を有しているので、以下では収納シャーシ２００の−Ｘ側に搭載されるＨＤＤモジュール３００について説明する。
【００３０】
ＨＤＤモジュール３００は、図６に示されるように、ＨＤＤ６０及び収納トレイ７０などを有している。
【００３１】
ＨＤＤ６０は、高さ方向の寸法が、幅方向及び奥行き方向の寸法に比べて小さい直方体形状を有し、内部に不図示の磁気ディスクが出し入れ可能な状態で収納されている。ＨＤＤ６０の＋Ｙ側面には、ＨＤＤコネクタ６４が設けられている。ＨＤＤ６０は、ＨＤＤコネクタ６４を介して、コネクタ基板２６０のコネクタ２６４に接続される。
【００３２】
収納トレイ７０は、図７に示されるように、上面が開口した中空箱型の部材から成り、平面視でＨＤＤ６０より一回り大きい矩形の形状を有している。収納トレイ７０は、薄板部材（金属板）から成り、例えば板金加工等により折り曲げて製造されており、底板部７１、一対の側板部７２、前面板７３及び底板部７１の後端（＋Ｙ側端）全域から立ち上がった背板部７４を備えている。底板部７１は、平面視矩形状を有し、底板部７１のＸ軸方向両端全域から一対の側板部７２が互いに対向して立ち上がっている。一対の側板部７２は、後端にＸ軸方向内側に折り曲げられた、ＸＺ平面に平行な折り曲げ部７８を有している。該折り曲げられた部分の頂点は、平面視で丸みを帯びた形状に加工されている（図９参照）。折り曲げ後の状態で折り曲げ部７８の後端面（＋Ｙ側面）は、底板部７１の後端面のＹ位置と、ほぼ同一面となるように配置されている。また、一対の側板部７２のＸ軸方向外側面間の寸法は、収納シャーシ２００の−Ｘ側の側板部２３０の＋Ｘ側面と中板部２４２ａの−Ｘ側面との間の間隔（寸法）に比べて、幾分小さく設定されている。
【００３３】
前面板７３は、薄板部材から成り、底板部７１の前端（−Ｙ側端）全域に固定されている。前面板７３は、高さ方向（Ｚ軸方向）に離間して形成された複数、例えば２つの貫通孔がＸ軸方向に複数、例えば８つ所定間隔で形成されている。また、前面板７３は、上半部の＋Ｘ側端に＋Ｘ方向に突出した突出部を有し、また下半部の−Ｘ側端に−Ｘ側に突出した突出部を有している。それぞれの突出部には、貫通孔８０が形成されている。−Ｘ側の突出部は、貫通孔８０を介して前述のフロントパネルにねじ止めされ、＋Ｘ側の突出部は、貫通孔８０及び仕切り部材２４０に形成された貫通孔２４８を介して仕切り部材２４０にねじ止めされるようになっている。
【００３４】
背板部７４は、下端から高さ方向中央より幾分上方であって、＋Ｘ側端部近傍からＸ軸方向中央より幾分−Ｘ側にかけてＸＺ平面矩形の開口７５が形成されている。背板部７４は、開口７５がＨＤＤ６０のＨＤＤコネクタ６４に対応する位置に形成されている。ＨＤＤ６０は、開口７５を介してＨＤＤコネクタ６４が収納トレイ７０の外部に露出する状態で収納トレイ７０に収納される。背板部７４は、上端にＸ軸方向に離間した複数、例えば２つの上方突出部を有している。該２つの上方突出部のうち、一方（−Ｘ側）には、基準孔７７が形成され、他方（＋Ｘ側）には、Ｘ軸方向を長手方向とする長穴７６が形成されている。基準孔７７及び長穴７６は、収納トレイ７０を収納シャーシ２００に搭載した際に、ガイドピン２８０がそれぞれ挿入される。収納トレイ７０は、ガイドピン２８０と基準孔７７及び長穴７６とによって、収納シャーシ２００に対して位置決めされる。
【００３５】
次に、ＨＤＤモジュール３００を収納シャーシ２００上に搭載し、ＨＤＤコネクタ６４とコネクタ基板２６０のコネクタ２６４とを接続する動作について説明する。なお、以下では、収納シャーシ２００の−Ｘ側の領域にＨＤＤモジュール３００を搭載する動作を説明する。ここで、図８では図面の錯綜を防止するため不図示であるが、収納シャーシ２００は、本体３０が収納された筐体２０（本体フレーム２６）に、ねじ止めされている（図８では、収納シャーシ２００のみが取り出されて図示されている）。
【００３６】
図８に示されるように、ＨＤＤモジュール３００は収納シャーシ２００の−Ｙ側から挿入される。ＨＤＤモジュール３００が収納シャーシ２００の底板部２２０上で＋Ｙ方向に押し込まれると、図９に示されるように、収納トレイ７０の＋Ｘ側の側板部７２が有する折り曲げ部７８は、＋Ｘ側端が導電性弾性体５０に接触する。
【００３７】
さらに、ＨＤＤモジュール３００が＋Ｙ方向に押し込まれると、ＨＤＤモジュール３００は、図１０に示されるように、導電性弾性体５０に押されることで−Ｘ方向に幾分移動し、収納トレイ７０の−Ｘ側の側板部７２が導電性テープ４０に圧接される（押し付けられる）。すなわち、ＨＤＤモジュール３００は、導電性弾性体５０と導電性テープ４０とに挟まれた状態となる。
【００３８】
次に、ＨＤＤモジュール３００は、更に＋Ｙ方向に押し込まれ、収納トレイ７０に形成された基準孔７７及び長穴７６に、収納シャーシ２００に設けられたガイドピン２８０が挿入される。ガイドピン２８０によるＨＤＤモジュール３００の位置決めが行われた状態で、更にＨＤＤモジュール３００は＋Ｙ方向に押し込まれ、ＨＤＤモジュール３００の＋Ｙ側面に設けられたＨＤＤコネクタ６４とコネクタ基板２６０のコネクタ２６４とが電気的に接続される。
【００３９】
なお、ＨＤＤモジュール３００を収納シャーシ２００から取り外し、ＨＤＤコネクタ６４とコネクタ基板２６０のコネクタ２６４との接続を解除する際には、上述の動作と反対の手順の動作が行われる。詳細については、その説明を省略する。
【００４０】
以上説明したように、本実施形態に係る情報処理装置１０では、ＨＤＤ６０が、収納シャーシ２００と収納トレイ７０とを含む取付アダプタ１００を介して本体３０（本体フレーム２６）に対して挿抜され、これによりＨＤＤ６０の活線挿抜が行われる。
【００４１】
本実施形態に係る情報処理装置１０では、ＨＤＤ６０の活線挿抜に取付アダプタ１００が用いられるので、ＨＤＤ６０（ＨＤＤモジュール３００）が収納シャーシ２００に接続された状態では、ＨＤＤモジュール３００の一部（及び取付アダプタ１００の一部）を構成する収納トレイ７０は、導電性テープ４０及び導電性弾性体５０に面接触されている（Ｘ軸方向両側面が挟まれる）。従って、本実施形態に係る情報処理装置１０では、取付アダプタ１００により、ＨＤＤ６０のＧＮＤを十分にかつ容易に取ることができ、静電気・ＥＭＩに対する耐性を向上させると同時に、ＨＤＤモジュール３００（ＨＤＤ６０）の振動をも防止ないしは効果的に抑制することが可能になる。
【００４２】
また、本実施形態に係る取付アダプタ１００では、導電性弾性体５０の一端（−Ｙ側端）が切り欠き２４４及び開口２４６内に挿入されているので、ＨＤＤモジュール３００が収納シャーシ２００に挿入される際に、導電性弾性体５０は、一端から接着が剥がれるおそれがない。そのため、本実施形態では、導電性弾性体５０がＨＤＤモジュール３００の挿入によって剥がれにくくなるように導電性弾性体５０の形状を加工する必要がなく、コストを低く抑えることができる。
【００４３】
また、本実施形態に係る取付アダプタ１００では、導電性弾性体５０が挿入される切り欠き２４４及び開口２４６は、収納シャーシ２００前端（−Ｙ側端）から幾分＋Ｙ側に形成されているので、ＨＤＤモジュール３００を容易に収納シャーシ２００に挿入することができる。
【００４４】
また、本実施形態に係る取付アダプタ１００では、導電性弾性体５０の他端（＋Ｙ側端）は、収納シャーシ２００の後端（＋Ｙ側端）よりも幾分−Ｙ側に配置されているので、ＨＤＤモジュール３００が収納シャーシ２００に挿入される際の摩擦を減じると共に、基準孔７７及び長穴７６にガイドピン２８０が挿入される際の抵抗を減じることができる。
【００４５】
また、本実施形態に係る取付アダプタ１００では、導電性弾性体５０のＹ軸方向長さ及び厚み（Ｘ軸方向長さ）を調整することで、導電性弾性体５０の圧縮率及び導電性弾性体５０と収納トレイ７０との接触面積を任意の値に設定することができる。すなわち、ＨＤＤモジュール３００を収納シャーシ２００内に挿入する際の摩擦抵抗を調整し、容易にＨＤＤモジュール３００が収納シャーシ２００に挿入されるようにすることができる。
【００４６】
また、本実施形態に係る取付アダプタ１００によると、収納トレイ７０の位置決めは、２つのガイドピン２８０が、基準孔７７及びＸ軸方向を長手方向とする長穴７６に挿入されることで行われるので、公差の積み重ね及び挿入時の位置ずれ等でＸ軸方向及びθｚ方向（Ｚ軸周りの回転方向）に中心軸がずれた場合であっても、容易に位置決めをすることができる。また、ガイドピン２８０が固定されたコネクタ基板２６０は、ＸＺ平面に可動な状態で収納シャーシ２００に取り付けられているので、Ｘ軸方向及びθｚ方向以外に中心軸がずれた場合であっても、ＨＤＤモジュール３００の位置決めを容易に行うことができる。すなわち、ガイドピン２８０と基準孔７７との隙間（クリアランス）を小さくすることができるので、ＨＤＤモジュール３００の後端部近傍における振動を低減することができる。
【００４７】
なお、上記実施形態では、導電性弾性体５０の一端（−Ｙ側端）が切り欠き２４４及び開口２４６内に挿入され、他端は中板部２４２ａ，２４２ｂのＸ軸方向外側面に沿って＋Ｙ方向に延設されているが、これに限られるものではない。例えば図１１に示されるように、中板部２４２ａ，２４２ｂ（図１１では、中板部２４２ｂは不図示。図４及び図５参照）の長手方向中央より幾分後方に切り欠き２４４と同形状の切り欠き２４９が形成され、導電性弾性体５０の他端が切り欠き２４９内に挿入されていても良い。導電性弾性体５０の他端を切り欠き２４９内に挿入することで、収納トレイ７０のＸ軸方向外側面に導電性弾性体５０に引っかかる突出部材等を設けても、導電性弾性体５０は、ＨＤＤモジュール３００を収納シャーシ２００から引き抜く際に導電性弾性体５０の他端が収納シャーシ２００から剥がれなくなる。
【００４８】
また、本実施形態では、導電性弾性体５０は、収納トレイ７０のＸ軸方向両側面のうち一側に対して対向するように収納シャーシ２００に接着されているが、これに限らず、例えば図１２に示されるように、収納トレイ７０のＸ軸方向両外側面に導電性弾性体５０が対向するように、導電性テープ４０に変えて側板部２３０に導電性弾性体６２が接着されていても良い。この際、導電性弾性体６２の一端（−Ｙ側端）は、導電性弾性体５０と同様に、不図示の切り欠き内に挿入され、側板部２３０のＸ軸方向外側面に接着されている。導電性テープ４０に変えて導電性弾性体６２を用いた場合、ＨＤＤ６０は、更に静電気・ＥＭＩに対して強くなり、またＨＤＤモジュール３００（収納トレイ７０）が挿入される収納シャーシ２００の入口の幅を広げることができるので、ＨＤＤモジュール３００（収納トレイ７０）が収納シャーシ２００に挿入される際の作業性が向上される。
【００４９】
また、本実施形態では、長穴７６の長手方向はＸ軸方向としたが、これに限らず、例えばＺ軸方向を長手方向としても良いし、Ｘ軸及びＺ軸方向に交差する方向を長手方向としても良い。
【００５０】
また、本実施形態では、導電性弾性体５０は、Ｙ軸方向に関しては１つ配置することとしたが、これに限らず、例えばＹ軸方向に複数（例えば２つ）所定間隔で配置しても良い。
【００５１】
また、上記実施形態では、収納シャーシ２００にＨＤＤモジュール３００（収納トレイ７０）が２つ並べて配置されていたが、これに限らず、例えばＨＤＤモジュール３００（収納トレイ７０）は収納シャーシ２００に１つ配置されていても良いし、３つ以上でも良い。
【００５２】
また、上記実施形態では、収納シャーシ２００のＸ軸方向に離間された２つの収納スペースのいずれにもＨＤＤモジュール３００が収容される場合について説明したが、これに限らず例えば、少なくとも一方に光ディスク装置、フレキシブルディスク駆動装置、ＭＯ駆動装置などが収容されても良い。
【符号の説明】
【００５３】
１０…情報処理装置、２０…筐体、３０…本体、４０…導電性テープ、５０…導電性弾性体、６０…ＨＤＤ、６２…導電性弾性体、６４…ＨＤＤコネクタ、７０…収納トレイ、７６…長穴、７７…基準孔、１００…取付アダプタ、２００…収納シャーシ、２３０…側板部、２４０…仕切り部材、２４２ａ…中板部、２４２ｂ…中板部、２４４…切り欠き、２４６…開口、２４９…切り欠き、２６０…コネクタ基板、２６４…コネクタ、２８０…ガイドピン、３００…ＨＤＤモジュール。
【先行技術文献】
【特許文献】
【００５４】
【特許文献１】特開２０１１／００８６３４６号公報
【特許文献２】特開２００１／０２５６７６９号公報
【図１】
2013168207.tif 000003
【図２】
2013168207.tif 000004
【図３】
2013168207.tif 000005
【図４】
2013168207.tif 000006
【図５】
2013168207.tif 000007
【図６】
2013168207.tif 000008
【図７】
2013168207.tif 000009
【図８】
2013168207.tif 000010
【図９】
2013168207.tif 000011
【図１０】
2013168207.tif 000012
【図１１】
2013168207.tif 000013
【図１２】
2013168207.tif 000014